(57)【要約】【課題】子供に安心して所持させられる通信端末を提供すること。【解決手段】通信端末は、通信部４１と、通信部４１により通信を行う通信先のうちの所定の通信先を識別する識別情報を未承認通信先として記憶する第１記憶部４４１と、第１記憶部４４１に記憶された未承認通信先を承認する承認手段４５２と、承認手段４５２によって承認された未承認通信先を承認済通信先として記憶する第２記憶部４４２と、第２記憶部４４２に記憶された承認済通信先との通信要求があった場合、通信部４１による承認済通信先との通信を許可し、承認済通信先とは異なる通信先との通信要求があった場合、通信部による承認済通信先とは異なる通信先との通信を制限する通信制御部４５３と、を備える。【選択図】図３
2010056687.tif 000002
【特許請求の範囲】
【請求項１】
通信部と、
前記通信部により通信を行う通信先のうちの所定の通信先を識別する識別情報を未承認通信先として記憶する第１記憶部と、
前記第１記憶部に記憶された前記未承認通信先を承認する承認手段と、
前記承認手段によって承認された前記未承認通信先を承認済通信先として記憶する第２記憶部と、
前記第２記憶部に記憶された前記承認済通信先との通信要求があった場合、前記通信部による前記承認済通信先との通信を許可し、前記承認済通信先とは異なる通信先との通信要求があった場合、前記通信部による前記承認済通信先とは異なる通信先との通信を制限する通信制御部と、を備える通信端末。
【請求項２】
通信部と、
表示部と、
前記通信部により通信を行う通信先のうちの所定の通信先を識別する識別情報を未承認通信先として記憶する第１記憶部と、
前記第１記憶部に記憶された前記未承認通信先を承認する承認手段と、
前記承認手段によって承認された前記未承認通信先を承認済通信先として記憶する第２記憶部と、
前記通信部による電子メールの受信を許可する通信制御部と、
前記第２記憶部に記憶された前記承認済通信先から電子メールを受信した場合、前記表示部に前記承認済通信先から受信した電子メールの内容を表示することを許可し、前記承認済通信先とは異なる通信先から電子メールを受信した場合、前記表示部に前記承認済通信先とは異なる通信先から受信した電子メールの内容を表示することを制限する表示制御部と、を備える通信端末。
【請求項３】
前記第１記憶部及び前記第２記憶部に記憶されておらず、且つ通信を行おうとしている通信先の識別情報を新たな通信先として記憶する第３記憶部をさらに備え、
前記通信制御部は、前記第３記憶部に記憶された前記新たな通信先を前記未承認通信先として前記第１記憶部に記憶させる請求項１又は請求項２に記載の通信端末。
【請求項４】
所定の入力操作を行う操作部と、
第１パスワードを記憶する第１パスワード記憶部と、をさらに備え、
前記承認手段は、前記操作部による前記第１パスワードの入力を要求し、
前記第１パスワードの入力が行われると、前記未承認通信先を、前記承認済通信先として前記第２記憶部に記憶させる請求項１から請求項３のいずれかに記載の通信端末。
【請求項５】
前記承認済通信先のうちのいずれかの承認済通信先を、前記未承認通信先の承認許否を決定する承認決定先として設定する承認決定先設定部をさらに備え、
前記通信制御部は、前記通信部に、前記承認決定先へ前記未承認通信先の識別情報を送信させると共に、前記承認決定先から送信される前記未承認通信先の承認許否情報を受信させ、
前記承認手段は、前記通信部が受信した前記承認許否情報が前記未承認通信先の承認を許可する情報であった場合、前記未承認通信先を前記承認済通信先として前記第２記憶部に記憶させる請求項１から請求項３のいずれかに記載の通信端末。
【請求項６】
所定の入力操作を行う操作部と、
第１パスワードを記憶する第１パスワード記憶部と、をさらに備え、
前記承認手段は、前記未承認通信先との通信要求があった場合、前記操作部による前記第１パスワードの入力を要求し、前記第１パスワードの入力が行われると、前記未承認通信先を前記承認済通信先として前記第２記憶部に記憶させ、
前記通信制御部は、前記通信部による前記通信要求があった未承認通信先との通信を許可する請求項１又は請求項２に記載の通信端末。
【請求項７】
所定の入力操作を行う操作部と、
第１パスワードを記憶する第１パスワード記憶部と、をさらに備え、
前記承認手段は、前記第１記憶部及び前記第２記憶部に記憶されていない新たな通信先との通信要求があった場合、前記操作部による前記第１パスワードの入力を要求し、
前記第１パスワードの入力が行われると、前記新たな通信先の識別情報を前記承認済通信先として前記第２記憶部に記憶させ、
前記第１パスワードの入力が行われなかったとき、又は前記第１パスワードと異なるパスワードが入力されたときには、前記新たな通信先の識別情報を前記未承認通信先として前記第１記憶部に記憶させる請求項１又は請求項２に記載の通信端末。
【請求項８】
前記通信制御部は、
前記承認手段により前記新たな通信先の識別情報が前記承認済通信先として前記第２記憶部に記憶された場合には、前記通信部による前記新たな通信先との通信を許可し、
前記承認手段により前記新たな通信先の識別情報が前記未承認通信先として前記第１記憶部に記憶された場合には、前記通信部による前記新たな通信先との通信を制限する請求項７に記載の通信端末。
【請求項９】
所定のアプリケーションを実行するアプリケーション実行部と、
第２パスワードを記憶する第２パスワード記憶部と、
前記アプリケーション実行部による前記所定のアプリケーションの実行要求があった場合、前記操作部による前記第２パスワードの入力を要求し、前記第２パスワードの入力が行われると、前記所定のアプリケーションの実行を許可するアプリケーション制御部と、をさらに備える請求項４、請求項６から請求項８のいずれかに記載の通信端末。
【発明の詳細な説明】
【技術分野】
【０００１】
本発明は、通信端末に関する。
【背景技術】
【０００２】
従来、携帯電話機等の通信端末は、アドレス帳機能を備えており、アドレス帳には電話番号やメールアドレス等の情報が格納されている。
また、携帯電話機には、セキュリティ対策としてメールフィルタ機能を備えたものもあり、このメールフィルタ機能によれば携帯電話機が迷惑メールを受信しないように設定できる（例えば、特許文献１参照）。
【特許文献１】特開２００６−１４６７４３号公報
【発明の開示】
【発明が解決しようとする課題】
【０００３】
ところで、近年、子供向けの携帯電話機が発売されており、このような子供向け携帯電話機では、セキュリティ対策が特に重要となっている。
しかしながら、従来の手法では、迷惑メールの受信を完全に防止できず、有害な迷惑メールが受信されてしまうという問題があった。
また、受信した迷惑メールにＵＲＬ等が記載されている場合には、このＵＲＬをクリックすると有害サイトにアクセスしてしまうという問題もあった。
これらの問題は、子供が携帯電話を所持する上で、大きな障壁となっていた。
【０００４】
従って、本発明は、子供に安心して所持させられる通信端末を提供することを目的とする。
【課題を解決するための手段】
【０００５】
本発明は、通信部と、前記通信部により通信を行う通信先のうちの所定の通信先を識別する識別情報を未承認通信先として記憶する第１記憶部と、前記第１記憶部に記憶された前記未承認通信先を承認する承認手段と、前記承認手段によって承認された前記未承認通信先を承認済通信先として記憶する第２記憶部と、前記第２記憶部に記憶された前記承認済通信先との通信要求があった場合、前記通信部による前記承認済通信先との通信を許可し、前記承認済通信先とは異なる通信先との通信要求があった場合、前記通信部による前記承認済通信先とは異なる通信先との通信を制限する通信制御部と、を備える通信端末に関する。
【０００６】
本発明は、通信部と、表示部と、前記通信部により通信を行う通信先のうちの所定の通信先を識別する識別情報を未承認通信先として記憶する第１記憶部と、前記第１記憶部に記憶された前記未承認通信先を承認する承認手段と、前記承認手段によって承認された前記未承認通信先を承認済通信先として記憶する第２記憶部と、前記通信部による電子メールの受信を許可する通信制御部と、前記第２記憶部に記憶された前記承認済通信先から電子メールを受信した場合、前記表示部に前記承認済通信先から受信した電子メールの内容を表示することを許可し、前記承認済通信先とは異なる通信先から電子メールを受信した場合、前記表示部に前記承認済通信先とは異なる通信先から受信した電子メールの内容を表示することを制限する表示制御部と、を備える通信端末に関する。
【０００７】
また、前記第１記憶部及び前記第２記憶部に記憶されておらず、且つ通信を行おうとしている通信先の識別情報を新たな通信先として記憶する第３記憶部をさらに備え、前記通信制御部は、前記第３記憶部に記憶された前記新たな通信先を前記未承認通信先として前記第１記憶部に記憶させることが好ましい。
【０００８】
また、所定の入力操作を行う操作部と、第１パスワードを記憶する第１パスワード記憶部と、をさらに備え、前記承認手段は、前記操作部による前記第１パスワードの入力を要求し、前記第１パスワードの入力が行われると、前記未承認通信先を、前記承認済通信先として前記第２記憶部に記憶させることが好ましい。
【０００９】
また、前記承認済通信先のうちのいずれかの承認済通信先を、前記未承認通信先の承認許否を決定する承認決定先として設定する承認決定先設定部をさらに備え、前記通信制御部は、前記通信部に、前記承認決定先へ前記未承認通信先の識別情報を送信させると共に、前記承認決定先から送信される前記未承認通信先の承認許否情報を受信させ、前記承認手段は、前記通信部が受信した前記承認許否情報が前記未承認通信先の承認を許可する情報であった場合、前記未承認通信先を前記承認済通信先として前記第２記憶部に記憶させることが好ましい。
【００１０】
また、所定の入力操作を行う操作部と、第１パスワードを記憶する第１パスワード記憶部と、をさらに備え、前記承認手段は、前記未承認通信先との通信要求があった場合、前記操作部による前記第１パスワードの入力を要求し、前記第１パスワードの入力が行われると、前記未承認通信先を前記承認済通信先として前記第２記憶部に記憶させ、前記通信制御部は、前記通信部による前記通信要求があった未承認通信先との通信を許可することが好ましい。
【００１１】
また、所定の入力操作を行う操作部と、第１パスワードを記憶する第１パスワード記憶部と、をさらに備え、前記承認手段は、前記第１記憶部及び前記第２記憶部に記憶されていない新たな通信先との通信要求があった場合、前記操作部による前記第１パスワードの入力を要求し、前記第１パスワードの入力が行われると、前記新たな通信先の識別情報を前記承認済通信先として前記第２記憶部に記憶させ、前記第１パスワードの入力が行われなかったとき、又は前記第１パスワードと異なるパスワードが入力されたときには、前記新たな通信先の識別情報を前記未承認通信先として前記第１記憶部に記憶させることが好ましい。
【００１２】
また、前記通信制御部は、前記承認手段により前記新たな通信先の識別情報が前記承認済通信先として前記第２記憶部に記憶された場合には、前記通信部による前記新たな通信先との通信を許可し、前記承認手段により前記新たな通信先の識別情報が前記未承認通信先として前記第１記憶部に記憶された場合には、前記通信部による前記新たな通信先との通信を制限することが好ましい。
【００１３】
また、所定のアプリケーションを実行するアプリケーション実行部と、第２パスワードを記憶する第２パスワード記憶部と、前記アプリケーション実行部による前記所定のアプリケーションの実行要求があった場合、前記操作部による前記第２パスワードの入力を要求し、前記第２パスワードの入力が行われると、前記所定のアプリケーションの実行を許可するアプリケーション制御部と、をさらに備えることが好ましい。
【発明の効果】
【００１４】
本発明によれば、子供に安心して所持させられる通信端末を提供できる。
【００１５】
以下、本発明を実施するための好ましい一実施形態について、図面を参照しながら説明する。まず、本発明の通信端末の一実施形態である携帯電話機１の基本構造について、図１を参照しながら説明する。
図１は、本発明の一実施形態に係る携帯電話機１の外観斜視図である。
【００１６】
携帯電話機１は、操作部側筐体２と、表示部側筐体３と、操作部側筐体２と表示部側筐体３とを連結するヒンジ機構４と、を備える。
操作部側筐体２は、表面部１０に、操作部１１とマイク１２とを備えて構成される。
操作部１１は、各種設定機能や電話帳機能やメール機能等の各種機能を作動させるための機能設定操作ボタン１３と、電話番号の数字やメールの文字等を入力するための入力操作ボタン１４と、各種操作における決定やスクロール等を行う決定操作ボタン１５と、から構成されている。
マイク１２は、携帯電話機１の使用者が通話時に発した音声を入力するために用いられる。
【００１７】
表示部側筐体３は、表面部２０に、表示部２１とレシーバ２２と、を備えて構成される。
表示部２１は、通話の相手側の電話番号やメールアドレス、メールの内容等の各種情報を表示する。レシーバ２２は、通話の相手側の音声を出力する。
【００１８】
ヒンジ機構４は、操作部側筐体２と表示部側筐体３とが相対的に動くようにこれらを連結している。携帯電話機１は、ヒンジ機構４を介して連結された操作部側筐体２と表示部側筐体３とを相対的に回転することにより、操作部側筐体２と表示部側筐体３とが互いに開いた状態（開状態）にしたり、操作部側筐体２と表示部側筐体３とを折り畳んだ状態（閉状態）にしたりできる。
【００１９】
図２は、携帯電話機１の機能を示すブロック図である。携帯電話機１は、操作部１１と、マイク１２と、通信部４１と、画像処理部４２と、音声処理部４３と、メモリ４４と、ＣＰＵ４５とを操作部側筐体２に備え、表示部２１と、レシーバ２２と、ドライバＩＣ２３とを表示部側筐体３に備えている。
【００２０】
通信部４１は、メインアンテナ４１１とＲＦ回路部４１２とを備えて構成され、所定の通信先と通信を行う。通信部４１が通信を行う通信先としては、携帯電話機１と電話やメールの送受信を行う外部の端末装置や、携帯電話機１がインターネットの接続を行う外部のｗｅｂサーバ等の外部装置が挙げられる。
【００２１】
メインアンテナ４１１は、所定の使用周波数帯（例えば、８００ＭＨｚ）で外部装置と通信を行う。なお、本実施形態では、所定の使用周波数帯として、８００ＭＨｚとしたが、これ以外の周波数帯であってもよい。また、メインアンテナ４１１は、所定の使用周波数帯の他に、他の使用周波数帯（例えば、２ＧＨｚ）に対応できる、いわゆるデュアルバンド対応型による構成であってもよい。
【００２２】
ＲＦ回路部４１２は、メインアンテナ４１１によって受信した信号を復調処理し、処理後の信号をＣＰＵ４５に供給する。また、ＲＦ回路部４１２は、ＣＰＵ４５から供給された信号を変調処理し、メインアンテナ４１１を介して外部装置（基地局）に送信する。
【００２３】
画像処理部４２は、ＣＰＵ４５の制御に従って、所定の画像処理を行い、処理後の画像データをドライバＩＣ２３に出力する。ドライバＩＣ２３は、画像処理部４２から供給された画像データをフレームメモリ（図示せず）に蓄え、所定のタイミングで表示部２１に出力する。
【００２４】
音声処理部４３は、ＣＰＵ４５の制御に従って、ＲＦ回路部４１２から供給された信号に対して所定の音声処理を行い、処理後の信号をレシーバ２２に出力する。レシーバ２２は、音声処理部４３から供給された信号を外部に出力する。なお、この信号は、レシーバ２２に代えて、又は、レシーバ２２と共に、スピーカ（図示せず）から出力される構成としてもよい。
【００２５】
また、音声処理部４３は、ＣＰＵ４５の制御に従って、マイク１２から入力された信号を処理し、処理後の信号をＲＦ回路部４１２に出力する。ＲＦ回路部４１２は、音声処理部４３から供給された信号に所定の処理を行い、処理後の信号をメインアンテナ４１１に出力する。
【００２６】
メモリ４４は、例えば、ワーキングメモリを含み、ＣＰＵ４５による演算処理に利用される。このメモリ４４は、後述する第１記憶部４４１と、第２記憶部４４２と、第３記憶部４４３と、第１パスワード記憶部４４４と、第２パスワード記憶部４４５とを備える。
尚、メモリ４４は、着脱可能な外部メモリであってもよい。
【００２７】
ＣＰＵ４５は、携帯電話機１の全体を制御しており、例えば、通信部４１、画像処理部４２、表示部２１、音声処理部４３に対して所定の制御を行う。また、ＣＰＵ４５は、先に述べたメインアンテナ４１１による電波状態や充電池（図示せず）の残量、不在着信及び未読メールの有無等の内部状態を監視しており、この結果に基づいて、表示部２１の表示内容を変更する制御も行う。ＣＰＵ４５の具体的な構成については後述する。
【００２８】
次に、本実施形態に係る携帯電話機１の機能を発揮するための構成について、図３を参照しながら説明する。図３は、本実施形態に係る携帯電話機１のメモリ４４及びＣＰＵ４５の構成を示す機能ブロック図である。
【００２９】
メモリ４４は、第１記憶部４４１と、第２記憶部４４２と、第３記憶部４４３と、第１パスワード記憶部４４４と、第２パスワード記憶部４４５とを備える。
【００３０】
第１記憶部４４１は、通信部４１により通信を行う通信先のうちの所定の通信先の電話番号やメールアドレス等の識別情報を未承認通信先として記憶する。
第１記憶部４４１に通信先の識別情報を記憶させる方法としては、操作部１１により通信先の識別情報を直接入力する方法の他、赤外線通信、電話、電子メール等により通信先の識別情報を受信する方法が挙げられる。
【００３１】
第２記憶部４４２は、第１記憶部４４１に記憶された未承認通信先のうち、後述の承認部４５２により承認された未承認通信先を承認済通信先として記憶する。
【００３２】
第１記憶部４４１に記憶された未承認通信先、及び第２記憶部４４２に記憶された承認済通信先の識別情報は、例えば、図４（ａ）に示すようなアドレス帳のメニュー画面からそれぞれのメニューを選択して表示することができる。
即ち、アドレス帳のメニュー画面から承認済アドレスのメニューを選択して承認済通信先の識別情報のみを表示したり（図４（ｂ）参照）、アドレス帳のメニュー画面から未承認アドレスのメニューを選択して未承認通信先の識別情報のみを表示したりできる（図４（ｃ）参照）。
また、アドレス一覧表示メニューを選択して全ての通信先の識別情報を、承認状況のフラグを付して一覧表示してもよい（図４（ｄ）参照）。
【００３３】
第３記憶部４４３は、携帯電話機１が通信を行おうとしている通信先が第１記憶部４４１及び第２記憶部４４２に記憶されていない通信先である新たな通信先であった場合に、この新たな通信先の識別情報を記憶する。
【００３４】
ここで、「通信を行おうとしている通信先」とは、携帯電話機１に所定の通信先からの通信要求があった場合、及び携帯電話機１から所定の通信先への通信要求を行った場合の両方の場合を含む。
尚、「携帯電話機１に所定の通信先からの通信要求があった場合」とは、例えば、携帯電話機１が基地局を介して送信された通信先の発番号（電話番号）を受信した場合が挙げられる。
また、「携帯電話機１から所定の通信先への通信要求を行った場合」とは、例えば、所定の通信先の電話番号を入力した後に操作部１１により所定の発信操作を行った場合が挙げられる。
【００３５】
つまり、第３記憶部４４３には、新たな通信先への発信履歴及び新たな通信先からの着信履歴が記憶される。
【００３６】
第１パスワード記憶部４４４は、第１パスワードとしての承認パスワードを記憶する。この承認パスワードは、例えば、後述の承認部４５２によって未承認通信先を承認する場合に入力が要求される。
【００３７】
第２パスワード記憶部４４５は、第２パスワードとしての起動パスワードを記憶する。この起動パスワードは、例えば、後述のアプリケーション制御部４５７によって所定のアプリケーションの実行を許可する場合に入力が要求される。
【００３８】
ＣＰＵ４５は、判定部４５１と、承認手段としての承認部４５２と、通信制御部４５３と、表示制御部４５４と、承認決定先設定部４５５と、アプリケーション実行部４５６と、アプリケーション制御部４５７と、を備える。
【００３９】
判定部４５１は、携帯電話機１が通信を行おうとしている通信先の識別情報と、第１記憶部４４１に記憶されている通信先の識別情報及び第２記憶部４４２に記憶されている通信先の識別情報とを比較し、携帯電話機１が通信を行おうとしている通信先の識別情報が第１記憶部４４１に記憶されているか、第２記憶部４４２に記憶されているか、それとも第１記憶部４４１及び第２記憶部４４２のいずれにも記憶されていないかを判定する。
つまり、判定部４５１は、携帯電話機１が通信を行おうとしている通信先が、未承認通信先、承認済通信先、新たな通信先のいずれに該当するかを判定する。
【００４０】
また、判定部４５１は、後述の承認部４５２により承認パスワードの入力が要求された場合に、入力されたパスワードが第１パスワード記憶部４４４に記憶された承認パスワードと一致するか否かを判定する。
さらに、判定部４５１は、後述のアプリケーション制御部４５７により起動パスワードの入力が要求された場合に、入力されたパスワードが第２パスワード記憶部４４５に記憶された承認パスワードと一致するか否かを判定する。
【００４１】
承認部４５２は、第１記憶部４４１に記憶された未承認通信先を承認して承認済通信先として第２記憶部４４２に記憶させる。
具体的には、承認部４５２は、未承認通信先を承認済通信先として承認する場合には、操作部１１による承認パスワードの入力を要求する。そして、操作部１１により承認パスワードの入力が行われると、承認部４５２は、未承認通信先を承認済通信先として第２記憶部４４２に記憶させる。
【００４２】
また、承認部４５２は、通信要求があった通信先が判定部４５１により未承認通信先であると判定された場合には、操作部１１による承認パスワードの入力を要求し、承認パスワードの入力が行われると、未承認通信先を承認し承認済通信先として第２記憶部４４２に記憶させる。そして、通信要求があった未承認通信先が承認済通信先として第２記憶部４４２に記憶されると、後述の通信制御部４５３は、通信部４１によるこの未承認通信先との通信を許可する。
【００４３】
また、承認部４５２は、通信要求があった通信先が判定部４５１により新たな通信先であると判定された場合には、この新たな通信先を第３記憶部４４３に記憶させる。そして、承認部４５２は、操作部１１による承認パスワードの入力を要求する。
【００４４】
ここで、操作部１１により承認パスワードの入力が行われると、承認部４５２は、第３記憶部４４３に記憶された新たな通信先を承認して承認済通信先として第２記憶部４４２に記憶させる。この場合、承認部４５２により、新たな通信先が承認済通信先として第２記憶部４４２に記憶されると、後述の通信制御部４５３は、通信部４１による新たな通信先との通信を許可する。
【００４５】
また、操作部１１により承認パスワードの入力が行われなかったとき、又は操作部１１により承認パスワードと異なるパスワードが入力されたときには、承認部４５２は、第３記憶部４４３に記憶された新たな通信先を未承認通信先として第１記憶部４４１に記憶させる。この場合、承認部４５２により、新たな通信先が未承認通信先として第１記憶部４４１に記憶されると、後述の通信制御部４５３は、通信部４１による新たな通信先との通信を制限する。
【００４６】
通信制御部４５３は、通信部４１によって行われる所定の通信先との通信を制御する。
具体的には、通信制御部４５３は、第２記憶部４４２に記憶された承認済通信先との通信要求があった場合、通信部４１による承認済通信先との通信を許可する。また、通信制御部４５３は、承認済通信先とは異なる通信先との通信要求があった場合、通信部４１による承認済通信先とは異なる通信先との通信を制限する。
【００４７】
ここで、「承認済通信先との通信要求があった場合」とは、携帯電話機１に承認済通信先からの通信要求があった場合、及び携帯電話機１から承認済通信先への通信要求を行った場合の両方の場合を含む。
【００４８】
また、通信制御部４５３は、第１記憶部４４１及び第２記憶部４４２に記憶されていない新たな通信先の識別情報が第３記憶部４４３に記憶された場合、この新たな通信先を未承認通信先として第１記憶部４４１に記憶させる。
【００４９】
また、通信制御部４５３は、通信先からの通信要求が電子メールの受信要求であった場合には、通信部４１による電子メールの受信を許可する。
【００５０】
表示制御部４５４は、表示部２１への情報の表示を制御する。
具体的には、表示制御部４５４は、第２記憶部４４２に記憶された承認済通信先から電子メールを受信した場合、表示部２１に承認済通信先から受信した電子メールの内容を表示することを許可する。また、表示制御部４５４は、第２記憶部４４２に記憶された承認済通信先とは異なる通信先から電子メールを受信した場合、表示部２１に承認済通信先とは異なる通信先から受信した電子メールの内容を表示することを制限する。
【００５１】
承認決定先設定部４５５は、第２記憶部４４２に記憶された承認済通信先のうちのいずれかの承認済通信先を、未承認通信先の承認許否を決定する承認決定先として設定する。
例えば、携帯電話機１のユーザが未成年者であった場合には、このユーザの親が使用する携帯電話機を承認決定先として設定できる。
尚、この承認決定先を変更する場合には、承認決定先設定部４５５は、所定のパスワード（例えば、承認パスワード）の入力を要求する。
【００５２】
この場合、未承認通信先を承認済通信先として第２記憶部４４２に記憶させたいときには、上述の通信制御部４５３は、通信部４１に、承認決定先へ未承認通信先の識別情報を送信させると共に、承認決定先から送信される未承認通信先の承認許否情報を受信させる。
そして、上述の承認部４５２は、通信部４１が受信した承認許否情報が未承認通信先の承認を許可する情報であった場合、未承認通信先を承認済通信先として第２記憶部４４２に記憶させる。
【００５３】
具体的には、携帯電話機１のユーザは、承認してもらいたい未承認通信先の識別情報に所定の承認依頼番号を付加した電子メールを承認決定先の端末装置に送信する。
承認者は、承認決定先の端末装置が受信した電子メールの内容を確認した上で、この電子メールに承認結果を「承認」又は「却下」と入力して返信する。
携帯電話機１が承認結果の入力された電子メールを受信すると、承認部４５２は、受信した電子メールの承認依頼番号を確認した上で、承認の許否を「承認」又は「却下」の文字判定により判定する。
【００５４】
アプリケーション実行部４５６は、携帯電話機１が具備している複数のアプリケーション（例えば、メニュー機能、カメラ機能、テレビ機能、カレンダー機能、日記帳機能）のうちの所定のアプリケーションを実行する。
【００５５】
アプリケーション制御部４５７は、アプリケーション実行部４５６によるアプリケーションの実行を制御する。
具体的には、アプリケーション制御部４５７は、アプリケーション実行部４５６による所定のアプリケーションの実行要求があった場合、操作部１１による起動パスワードの入力を要求する。そして、操作部１１により起動パスワードの入力が行われると、アプリケーション制御部４５７は、アプリケーション実行部４５６による所定のアプリケーションの実行を許可する。
【００５６】
次に、本実施形態に係る携帯電話機１の動作について説明する。
先ず、図５及び図６を参照しながら、第１記憶部４４１に記憶された未承認通信先を承認者（例えば、携帯電話機１のユーザの親）により承認する場合における携帯電話機１の動作について説明する。
図５は、第１記憶部４４１に記憶された未承認通信先を承認者により承認する場合における携帯電話機１の動作を示すフローチャートである。図６は、第１記憶部４４１に記憶された未承認通信先を承認する場合に表示部２１に表示される画面を示した図である。
【００５７】
ステップＳ１では、携帯電話機１の通常モード（例えば、待ち受け画面が表示された状態）において、ユーザが所定の入力操作によりメニュー機能を選択すると、アプリケーション実行部４５６は、アプリケーション制御部４５７にメニュー機能の実行要求を行いステップＳ２に進む。
【００５８】
ステップＳ２において、アプリケーション制御部４５７は、起動パスワードの入力を要求してステップＳ３に進む。
【００５９】
ステップＳ３において、判定部４５１は、入力されたパスワードと起動パスワードとが一致するか否かを判定する。
判定部４５１により、入力されたパスワードが起動パスワードと一致すると判定された場合には、ステップＳ４に進む。判定部４５１により、入力されたパスワードが承認パスワードと一致しないと判定された場合には、ステップＳ１に戻る。
【００６０】
ステップＳ４において、アプリケーション制御部４５７は、メニュー機能の実行を許可し、アプリケーション実行部４５６は、メニュー機能を起動する。また、表示制御部４５４は、表示部２１に所定のメニュー画面を表示させる（図６（ａ）参照）。
【００６１】
ステップＳ５において、ユーザが操作部１１を操作して、アドレス帳追加承認メニューを選択すると、アプリケーション実行部４５６は、メニュー機能を終了すると共にアドレス帳追加承認機能を起動し、表示制御部４５４は、表示部２１に未承認通信先のアドレス帳追加承認画面を表示させる（図６（ｂ）参照）。このアドレス帳追加承認画面には、この画面に表示された未承認通信先を承認する「承認」、未承認通信先の承認を却下する「却下」、及びメニュー画面に戻る「戻る」の３つの項目が表示される。
【００６２】
ステップＳ６において、承認者が「承認」を選択した場合には、ステップＳ７に進み、承認者が「却下」を選択した場合には、ステップＳ１２に進む。また、承認者が「戻る」を選択した場合には、ステップＳ１４に進む。
【００６３】
ステップＳ７において、表示制御部４５４は、表示部２１に承認パスワード入力画面を表示させると共に（図６（ｃ）参照）、承認部４５２は、承認パスワードの入力を要求し、ステップＳ８に進む。
【００６４】
ステップＳ８において、判定部４５１は、入力されたパスワードと承認パスワードとが一致するか否かを判定する。
判定部４５１により、入力されたパスワードが承認パスワードと一致すると判定された場合には、ステップＳ９に進む。判定部４５１により、入力されたパスワードが承認パスワードと一致しないと判定された場合には、ステップＳ１０に進む。
【００６５】
ステップＳ９において、承認部４５２は、アドレス帳追加承認画面に表示された未承認通信先を承認して、承認済通信先として第２記憶部４４２に記憶させると共に、この承認された未承認通信先を第１記憶部４４１から消去してステップＳ１１に進む。
【００６６】
ステップＳ１０において、承認部４５２は、アドレス帳追加承認画面に表示された未承認通信先の承認を却下すると共に、この未承認通信先を第１記憶部４４１から消去してステップＳ１１に進む。また、表示制御部４５４は、表示部２１に却下画面を表示させる（図６（ｄ）参照）。
【００６７】
ステップＳ１１において、承認部４５２は、第１記憶部４４１に他の未承認通信先が記憶されているか否かを判定する。
承認部４５２が第１記憶部４４１に他の未承認通信先が記憶されていると判定した場合には、ステップＳ５に戻る。承認部４５２が第１記憶部４４１に他の未承認通信先が記憶されていないと判定した場合には、ステップＳ１４に進む。
【００６８】
ステップＳ１２において、表示制御部４５４は、表示部２１に却下画面を表示させ（図６（ｄ）参照）、承認部４５２は、却下した未承認通信先を第１記憶部４４１から消去してステップＳ１３に進む。
【００６９】
ステップＳ１３において、承認部４５２は、第１記憶部４４１に他の未承認通信先が記憶されているか否かを判定する。
承認部４５２が第１記憶部４４１に他の未承認通信先が記憶されていると判定した場合には、ステップＳ５に戻る。承認部４５２が第１記憶部４４１に他の未承認通信先が記憶されていないと判定した場合には、ステップＳ１４に進む。
【００７０】
ステップＳ１４において、アプリケーション実行部４５６は、アプリケーション制御部４５７にメニュー機能の実行要求を行う。アプリケーション制御部４５７は、起動パスワードの入力を要求してステップＳ１５に進む。また、表示制御部４５４は、表示部２１に起動パスワード入力画面を表示させる（図６（ｅ）参照）。
【００７１】
ステップＳ１５において、判定部４５１は、入力されたパスワードが起動パスワードと一致するか否かを判定する。
判定部４５１により、入力されたパスワードが起動パスワードと一致すると判定された場合には、ステップＳ１６に進む。判定部４５１により、入力されたパスワードが起動パスワードと一致しないと判定された場合には、再びステップＳ１４に戻り、アプリケーション制御部４５７は、起動パスワードの入力を要求する。
【００７２】
ステップＳ１６において、アプリケーション制御部４５７は、メニュー機能の実行を許可し、アプリケーション実行部４５６は、メニュー機能を起動する。また、表示制御部４５４は、表示部２１にメニュー画面を表示させて本フローの処理を終了する。
【００７３】
次に、図７を参照しながら、携帯電話機１から他の携帯電話機に電話を発信する場合における携帯電話機１の動作について説明する。
図７は、携帯電話機１から他の携帯電話機に電話を発信する場合における携帯電話機１の動作を示すフローチャートである。
【００７４】
ステップＳ２１において、ユーザは、操作部１１により所定の電話番号を入力してステップＳ２２に進む。
【００７５】
ステップＳ２２において、判定部４５１は、入力された電話番号が第１記憶部４４１に記憶されているか、第２記憶部４４２に記憶されているか、それとも第１記憶部４４１及び第２記憶部４４２のいずれにも記憶されていないかを判定する。
判定部４５１により、入力された電話番号が第１記憶部に記憶されている（未承認通信先である）と判定された場合には、ステップＳ２３に進み、入力された電話番号が第２記憶部に記憶されている（承認済通信先である）と判定された場合には、ステップＳ２７に進む。また、入力された電話番号が第１記憶部４４１及び第２記憶部４４２のいずれにも記憶されていない（新たな通信先である）と判定された場合には、ステップＳ２９に進む。
【００７６】
ステップ２３において、承認部４５２は、承認パスワードの入力を要求してステップＳ２４に進む。
【００７７】
ステップＳ２４において、判定部４５１は、入力されたパスワードが承認パスワードと一致しているか否かを判定する。判定部４５１により、入力されたパスワードが承認パスワードと一致すると判定された場合には、ステップＳ２５に進む。入力されたパスワードが承認パスワードと一致しないと判定された場合には、ステップＳ２６に進む。
【００７８】
ステップＳ２５において、承認部４５２は、入力された電話番号を承認済通信先として第２記憶部４４２に記憶させてステップＳ２７に進む。
【００７９】
ステップＳ２７において、通信制御部４５３は、電話の発信を許可してステップＳ２８に進む。
【００８０】
ステップＳ２８において、通信部４１は、電話の発信処理を行い、本フローの処理を終了する。
【００８１】
ステップＳ２６において、通信制御部４５３は、電話の発信を制限して本フローの処理を終了する。
【００８２】
ステップＳ２９において、承認部４５２は、入力された電話番号を第３記憶部４４３に記憶させてステップＳ３０に進む。
ステップＳ３０において、承認部４５２は、承認パスワードの入力を要求してステップＳ３１に進む。
【００８３】
ステップＳ３１において、判定部４５１は、入力されたパスワードが承認パスワードと一致しているか否かを判定する。判定部４５１により、入力されたパスワードが承認パスワードと一致すると判定された場合には、ステップＳ３２に進む。判定部４５１により、入力されたパスワードが承認パスワードと一致しないと判定された場合には、ステップＳ３５に進む。
【００８４】
ステップＳ３２において、承認部４５２は、入力された電話番号を承認済通信先として第２記憶部４４２に記憶させてステップＳ３３に進む。
【００８５】
ステップＳ３３において、通信制御部４５３は、電話の発信を許可してステップＳ３４に進む。
【００８６】
ステップＳ３４において、通信部４１は、電話の発信処理を行い、本フローの処理を終了する。
【００８７】
ステップＳ３５において、承認部４５２は、入力された電話番号を未承認通信先として第１記憶部４４１に記憶させてステップＳ３６に進む。
【００８８】
ステップＳ３６において、通信制御部４５３は、電話の発信を制限して本フローの処理を終了する。
【００８９】
尚、図７に示したフローチャートでは、本発明を、電話の発信を行う場合に適用して説明したが、これに限らない。即ち、本発明を、電話の受信を行う場合に適用してもよく、電子メールの送受信を行う場合に適用してもよい。また、本発明を、所定のＵＲＬに対してｗｅｂ接続を行う場合に適用してもよい。
【００９０】
例えば、本発明を、電話の発信を行う場合に適用したときには、判定部４５１は、基地局から送られる通信先の電話番号（以下、発番号という）が第１記憶部４４１に記憶されているか、第２記憶部４４２に記憶されているか、それとも第１記憶部４４１及び第２記憶部４４２のいずれにも記憶されていないかを判定する（図７におけるステップＳ２２に対応）。
尚、この場合、通信先の発番号が通知されないとき、即ち、通信先が「発番号非通知」設定の状態で通信要求を行ってきたときについても、通信制御部４５３は通信部４１による通信を制限する。
【００９１】
また、本発明を、所定のＵＲＬに対してｗｅｂ接続を行う場合に適用したときには、判定部４５１は、携帯電話機１が接続しようとしているＵＲＬが第１記憶部４４１に記憶されているか、第２記憶部４４２に記憶されているか、それとも第１記憶部４４１及び第２記憶部４４２のいずれにも記憶されていないかを判定する（図７におけるステップＳ２２に対応）。
尚、この場合、判定部４５１は、接続しようとしているＵＲＬのうちのホスト名の部分（例えば、ｗｗｗ．×××××．ｃｏ．ｊｐの部分）が、第１記憶部４４１又は第２記憶部４４２に記憶されているか否かを判定する。
【００９２】
本実施形態の携帯電話機１によれば、以下のような効果を奏する。
承認済通信先を記憶する第２記憶部４４２を設けると共に、この承認済通信先との通信要求があった場合には、通信部４１による承認済通信先との通信を許可し、承認済通信先とは異なる通信先との通信要求があった場合には、通信部４１による承認済通信先とは異なる通信先との通信を制限する通信制御部４５３を設けた。これにより、携帯電話機１のユーザが、承認者（例えば、携帯電話機１のユーザの親）により承認されていない通信先と通信を行うことを制限できる。よって、承認者は、携帯電話機１の通信先を容易に管理できるので、この携帯電話機１をユーザ（例えば、子ども）に安心して所持させられる。
【００９３】
また、承認済通信先から電子メールを受信した場合、その電子メールの内容を表示することを許可し、承認済通信先とは異なる通信先から電子メールを受信した場合、その電子メールの内容を表示することを制限する表示制御部４５４を設けた。これにより、携帯電話機１のユーザ（例えば、子ども）が未承認通信先又は新たな通信先から受信した電子メールの内容を閲覧することを防止できる。よって、承認者（例えば、親）は、携帯電話機１のユーザ（例えば、子ども）が閲覧できる電子メールを容易に管理できるので、携帯電話機１をユーザ（例えば、子ども）に安心して所持させられる。
【００９４】
また、承認部４５２に、操作部１１からの承認パスワードの入力を要求させると共に、承認パスワードが入力されると、未承認通信先を承認させて承認済通信先として第２記憶部４４２に記憶させた。これにより、承認者は、未承認通信先を承認する場合は、携帯電話機１を直接操作することとなる。よって、この携帯電話機１のユーザ（例えば、子ども）と、承認者（例えば、親）とのコミュニケーションの向上を図れる。その結果、承認者（例えば、親）は、携帯電話機１のユーザ（例えば、子ども）の成長をコミュニケーションにより知ることができる。
【００９５】
また、アドレス帳追加承認機能が起動した状態から、メニュー機能等の他の機能を起動させる場合には、アプリケーション制御部４５７に、承認パスワードとは異なる起動パスワードの入力を要求させた。これにより、携帯電話機１のユーザは、起動パスワードを適切に管理することで、承認者が他の機能（例えば、日記帳機能）を起動させることを防止できる。よって、携帯電話機１のユーザのプライバシー保護を図れる。
【００９６】
また、承認済通信先のうちのいずれかの承認済通信先を、未承認通信先の承認許否を決定する承認決定先として設定する承認決定先設定部４５５を設けた。これにより、携帯電話機１とは異なる端末装置により承認の許否の判定を行えるので、携帯電話機１のユーザと承認者とが、互いに離れた場所にいた場合であっても未承認通信先の承認を行える。
【００９７】
また、新たな通信先を記憶する第３記憶部４４３を設けると共に、通信制御部４５３に、この第３記憶部４４３に記憶された新たな通信先を未承認通信先として第１記憶部４４１に記憶させた。これにより、新たな通信先を未承認通信先として記憶させられるので、携帯電話機１の利便性を向上できる。
【００９８】
また、未承認通信先又は新たな通信先との通信要求があった場合に、承認部４５２に承認パスワードの入力を要求させ、この承認パスワードが入力されると、通信制御部４５３に通信要求があった未承認通信先又は新たな通信先との通信を許可させた。これにより、通信要求があった後であっても、承認部４５２による承認が可能となると共に、通信要求があった未承認通信先又は新たな通信先との通信が可能となる。よって、携帯電話機１の利便性をさらに向上できる。
【００９９】
尚、本発明は前記実施形態に限定されるものではなく、本発明の目的を達成できる範囲での変形、改良等は本発明に含まれるものである。
例えば、本実施形態では、承認部４５２は、未承認通信先の承認を却下した場合、この却下した未承認通信先の識別情報を第１記憶部４４１から消去したが、これに限らない。即ち、却下した未承認通信先の識別情報を第１記憶部４４１に残存させてもよい。
また、却下した未承認通信先の識別情報を第１記憶部４４１から消去するか、第１記憶部４４１に残存させるかを承認者に選択させてもよい。
【０１００】
また、本実施形態では、アドレス帳追加承認機能が起動した状態で、他の機能を起動させる場合に、アプリケーション制御部４５７に、起動パスワードの入力を要求させたが、この起動パスワードの入力を要求させなくてもよい。即ち、起動パスワードは設定しなくてもよい。
【０１０１】
また、本実施形態においては、通信端末の一例としてヒンジ機構４を介して操作部側筐体２と表示部側筐体３とが相対的に動く、いわゆる折り畳み式の携帯電話機１を挙げているが、これに限らない。即ち、操作部側筐体と表示部側筐体とを重ね合わせた状態から一方の筐体を一方向にスライドさせるようにしたスライド式や、重ね合せ方向に沿う軸線を中心に一方の筐体を回転させるようにした回転式や、操作部側筐体と表示部側筐体とを２軸ヒンジを介して連結したもの、さらには、操作部側筐体と表示部側筐体とが一つの筐体に配置されたもの（いわゆる、ストレートタイプ）であってもよい。
【０１０２】
また、本実施形態では、本発明を通信端末としての携帯電話機１に適用したが、これに限らない。即ち、本発明を、情報携帯端末（ＰＤＡ）、ノートパソコン、デジタルカメラ、小型オーディオプレーヤー等の他の通信端末に適用してもよい。
【図面の簡単な説明】
【０１０３】
【図１】本発明の通信端末の一実施形態に係る携帯電話機の外観斜視図である。
【図２】携帯電話機の機能を示すブロック図である。
【図３】メモリ及びＣＰＵの構成を示すブロック図である。
【図４】未承認通信先及び承認済通信先の識別情報が表示部に表示された状態を示す図である。
【図５】第１記憶部に記憶された未承認通信先を承認者により承認する場合における携帯電話機の動作を示すフローチャートである。
【図６】第１記憶部に記憶された未承認通信先を承認する場合に表示部に表示される画面を示した図である。
【図７】携帯電話機から他の携帯電話機に電話を発信する場合における携帯電話機の動作を示すフローチャートである。
【符号の説明】
【０１０４】
１  携帯電話機（通信端末）
１１  操作部
２１  表示部
４１  通信部
４４１  第１記憶部
４４２  第２記憶部
４４３  第３記憶部
４４４  第１パスワード記憶部
４４５  第２パスワード記憶部
４５２  承認部（承認手段）
４５３  通信制御部
４５４  表示制御部
４５５  承認決定先設定部
４５６  アプリケーション実行部
４５７  アプリケーション制御部
【図１】
2010056687.tif 000003
【図２】
2010056687.tif 000004
【図３】
2010056687.tif 000005
【図４】
2010056687.tif 000006
【図５】
2010056687.tif 000007
【図６】
2010056687.tif 000008
【図７】
2010056687.tif 000009